(57)【要約】【課題】部品レイアウトの制約を緩和することによる車両設計自由度の向上を図りつつ、排気脈動に起因した騒音の低減、排ガス性能の向上、及び燃費の向上を図る。【解決手段】本発明に係る排気再循環システムは、エンジンの排気路と吸気路との間を接続する排気再循環路と、排気再循環路に介装された遠心ポンプとを備える。これにより、エンジンからの排気を、排気再循環路に介装された遠心ポンプを介して吸気路に帰還させることが可能とされ、排気脈動の特に低周波成分が遠心ポンプを介することで緩和され、排気脈動に起因した騒音の低減が図られる。また、遠心ポンプによって吸気路に対する排気の戻し圧調整が可能となり、ＥＧＲ領域の拡大化を図ることができ、排ガス性能の向上、及び燃費向上を図ることができる。【選択図】図１
2020041494.tif 000002
【特許請求の範囲】
【請求項１】
エンジンの排気路と吸気路との間を接続する排気再循環路と、
前記排気再循環路に介装された遠心ポンプと、を備えた
排気再循環システム。
【請求項２】
前記排気路に介装された過給用のタービンと、
前記吸気路に介装された過給用のコンプレッサと、を備え、
前記排気再循環路は、
前記排気路における前記タービンよりも下流位置において前記排気路との接続口を有し、
前記吸気路における前記コンプレッサよりも上流位置において前記吸気路との接続口を有する
請求項１に記載の排気再循環システム。
【請求項３】
前記タービンのバイパス路に介装されたウエストゲートバルブを備えた
請求項２に記載の排気再循環システム。
【請求項４】
前記排気再循環路と前記吸気路とが連通状態となる排気再循環状態と前記排気再循環路と前記吸気路とが非連通状態となる非排気再循環状態との切り替えを行う循環制御弁と、
前記排気再循環路に介装されて前記吸気路に帰還される排気についての冷却を行う冷却部と、を備え、
前記遠心ポンプが、前記循環制御弁と前記冷却部との間に配置された
請求項１乃至請求項３の何れかに記載の排気再循環システム。
【請求項５】
前記排気再循環路に介装されて前記吸気路に帰還される排気についての冷却を行う冷却部を備え、
前記遠心ポンプは、
前記排気路との接続口と前記冷却部との間に配置された
請求項１乃至請求項３の何れかに記載の排気再循環システム。
【発明の詳細な説明】
【技術分野】
【０００１】
本発明は、エンジンからの排気を吸気路に環流させる排気再循環路を備えた排気再循環システムについての技術分野に関する。
【背景技術】
【０００２】
エンジンを備えた車両には、燃費（燃料消費率）や排ガス性能の向上を目的としたＥＧＲ（Exhaust Gas Recirculation：排気再循環）システムを搭載したものがある（例えば下記特許文献１、２を参照）。
ＥＧＲの手法としては、未燃焼ガスをエンジンの排気ポート直下から直接インテークマニホールドに帰還させるＨＰ（High Pressure）−ＥＧＲが知られているが、このＨＰ−ＥＧＲでは、リーン燃焼領域や高負荷運転領域等の「吸気圧＞排気圧」となるような状況において排ガスが十分に環流せず、ＥＧＲ量不足になってしまうという課題を有している。
【０００３】
一方、ＥＧＲの手法としては、排ガスをインテークマニホールドに帰還させるのではなく、吸気圧のより低いターボ上流（過給用コンプレッサの上流）に帰還させるＬＰ（Low Pressure）−ＥＧＲも知られている。ＨＰ−ＥＧＲと比較して排気圧と吸気圧との差圧を高め易いため、ＥＧＲ量の増大化を図ることができる。また、ＬＰ−ＥＧＲでは、排気路における過給用タービンの下流位置から排ガスを取り込んで吸気路に帰還させるため、全ての排ガスがタービンを通過することとなり、排気エネルギーの回収効率向上が図られる。
【先行技術文献】
【特許文献】
【０００４】
【特許文献１】特表２０１５−５２３４９３号公報
【特許文献２】特表２０１０−５１２４８７号公報
【発明の概要】
【発明が解決しようとする課題】
【０００５】
ここで、ＥＧＲシステムは、エンジンからの排気を排気再循環路を介して吸気路に流入させるという構成上、排気脈動が吸気系に伝達される。排気脈動が吸気系に伝達されると、吸気口より「ボボボ」のような騒音が発生してしまう虞がある。ＨＰ−ＥＧＲの場合は、排気再循環路に排気を取り込むための取込口から吸気路との接続口（戻し口）までの間にインタークーラや過給用のコンプレッサ等の脈動緩和要素が配置されることになるため、騒音は比較的小さなものとなるが、ＬＰ−ＥＧＲの場合は取込口から戻し口までの間にそのような脈動緩和要素が配置されない構成となるため、比較的大きな騒音が生じる虞がある。
【０００６】
上記のような排気脈動に起因した騒音（脈動音）については、吸気系に消音器を設けることで対策することが考えられるが、脈動音の対策にあたっては比較的広い周波数帯域の音を低減する必要があるため、反共振で跳ね返りが生じるようなレゾネータやサイドブランチでは対策が困難であり、拡張室型消音器のような幅広い周波数帯域に低減効果のある消音器を用いることが有効である。このとき、エンジン回転２次〜１０次の極低周波数帯域（約５０Ｈｚ〜３００Ｈｚ）の脈動音を低減するには大型の消音器を用いることになり、消音器の配置スペースを大きく要する。そのため、部品レイアウトの制約が大きくなり車両設計自由度の低下を招来する。
【０００７】
また、ＥＧＲシステムとしては、ＥＧＲ領域を拡大することで排ガス性能や燃費性能のさらなる向上を図ることが要請されている。
【０００８】
本発明は上記事情に鑑み為されたものであり、部品レイアウトの制約を緩和することによる車両設計自由度の向上を図りつつ、排気脈動に起因した騒音の低減、排ガス性能の向上、及び燃費の向上を図ることを目的とする。
【課題を解決するための手段】
【０００９】
本発明に係る排気再循環システムは、エンジンの排気路と吸気路との間を接続する排気再循環路と、前記排気再循環路に介装された遠心ポンプと、を備えたものである。
【００１０】
これにより、エンジンからの排気を、排気再循環路に介装された遠心ポンプを介して吸気路に帰還させることが可能とされる。
排気脈動の特に低周波成分が遠心ポンプを介することで緩和され、排気脈動に起因した騒音の低減が図られる。
また、遠心ポンプによって吸気路に対する排気の戻し圧調整が可能となり、ＥＧＲ（Exhaust Gas Recirculation）領域の拡大化を図ることができる。ＥＧＲ領域の拡大化により、排ガス性能の向上、及び燃費向上を図ることができる。
遠心ポンプは排気再循環路のパイプ中に比較的小スペースに配置可能であるため、排気脈動に起因した騒音を低減するために大型の消音器を用いる必要がなくなる。
【００１１】
上記した本発明に係る排気再循環システムにおいては、前記排気路に介装された過給用のタービンと、前記吸気路に介装された過給用のコンプレッサと、を備え、前記排気再循環路は、前記排気路における前記タービンよりも下流位置において前記排気路との接続口を有し、前記吸気路における前記コンプレッサよりも上流位置において前記吸気路との接続口を有する構成とすることが可能である。
【００１２】
すなわち、ＬＰ（Low Pressure）−ＥＧＲ路に対して遠心ポンプが介装された構成である。
【００１３】
上記した本発明に係る排気再循環システムにおいては、前記タービンのバイパス路に介装されたウエストゲートバルブを備えた構成とすることが可能である。
【００１４】
排気脈動の緩和は、過給用のタービンとしてＶＮＴ（Variable Nozzle Turbo：可変ノズルターボ：登録商標）で用いられるような排気流速調整機能付きのタービンを用いることによっても図ることができるが、排気流速調整機能付きのタービンは高価である。このため、ウエストゲートバルブによって排気流速調整機能を実現する構成とし、ウエストゲートバルブ（バイパス路）を介して伝達される排気脈動は排気再循環路の遠心ポンプによって緩和する。
【００１５】
上記した本発明に係る排気再循環システムにおいては、前記排気再循環路と前記吸気路とが連通状態となる排気再循環状態と前記排気再循環路と前記吸気路とが非連通状態となる非排気再循環状態との切り替えを行う循環制御弁と、前記排気再循環路に介装されて前記吸気路に帰還される排気についての冷却を行う冷却部と、を備え、前記遠心ポンプが、前記循環制御弁と前記冷却部との間に配置された構成とすることが可能である。
【００１６】
これにより、遠心ポンプには冷却部による冷却後の排気が流入する。
【００１７】
上記した本発明に係る排気再循環システムにおいては、前記排気再循環路に介装されて前記吸気路に帰還される排気についての冷却を行う冷却部を備え、前記遠心ポンプは、前記排気路との接続口と前記冷却部との間に配置された構成とすることが可能である。
【００１８】
これにより、遠心ポンプは冷却部よりも排気路との接続口に近い位置に配置される。すなわち、遠心ポンプは排気再循環路の上流部に配置される。
【発明の効果】
【００１９】
本発明によれば、部品レイアウトの制約を緩和することによる車両設計自由度の向上を図りつつ、排気脈動に起因した騒音の低減、排ガス性能の向上、及び燃費の向上を図ることができる。
【図面の簡単な説明】
【００２０】
【図１】本発明に係る実施形態としての排気再循環システムの概略構成例を模式的に示した図である。
【図２】実施形態としての排気再循環システムが備える遠心ポンプの構造例を説明するための図である。
【図３】第一変形例としての排気再循環システムの概略構成例を模式的に示した図である。
【図４】第二変形例としての排気再循環システムの概略構成例を模式的に示した図である。
【発明を実施するための形態】
【００２１】
以下、添付図面を参照して本発明に係る実施形態としての排気再循環システム１について説明する。
図１は、排気再循環システム１の概略構成例を模式的に示した図である。
図示のように排気再循環システム１は、エンジン２と、エンジン２の吸気路Ｒｉと、エンジン２の排気路Ｒｅと、吸気路Ｒｉに介装されたエアクリーナ３、コンプレッサ４、インタークーラ５、及びスロットル６と、排気路Ｒｅに介装されたタービン７、フロント触媒９、リア触媒１０、ＬＮＴ（Lean NOx Trap：吸蔵型窒素酸化物還元）触媒１１、及びマフラ１２と、タービン７をバイパスするバイパス路Ｒｂと、バイパス路Ｒｂに換装されたウエストゲートバルブ（wastegate valve）８とを備えている。
そして、排気再循環システム１は、排気再循環（ＥＧＲ：Exhaust Gas Recirculation）のための構成として、ＨＰ（High Pressure）−ＥＧＲ部１３とＬＰ（Low Pressure）−ＥＧＲ部１６とを備えている。
【００２２】
エンジン２は、例えば四つ等、複数の気筒を備えたガソリンエンジンとされる。なお、図中では、インテークマニホールド、エキゾーストマニホールドについてはそれぞれ吸気路Ｒｉ、排気路Ｒｅの一部として図示を省略している。
吸気路Ｒｉに介装されたコンプレッサ４と排気路Ｒｅに介装されたタービン７は過給機を構成している。
【００２３】
吸気路Ｒｉにおいて、吸気口Ｏｉより流入した空気は、粉塵等の異物除去を行うエアクリーナ３を介した後、コンプレッサ４を介してインタークーラ５に流入する。インタークーラ５は流入した空気（吸気）を冷却する。インタークーラ５を介した吸気はスロットル６を介して不図示のインテークマニホールドに流入し、不図示のインジェクタによって噴射される燃料との混合気がエンジン２の各気筒に流入される。
【００２４】
排気路Ｒｅにおいて、エンジン２からの排気はタービン７を介してフロント触媒９に流入し、浄化される。このとき、エンジン２からの排気は、ウエストゲートバルブ８が開状態ではその一部がバイパス路Ｒｂを介してフロント触媒９に流入する。
フロント触媒９を介した排気はリア触媒１０で浄化された後にＬＮＴ触媒１１でさらに浄化され、マフラ１２を介して大気中に排出される。
【００２５】
ＨＰ−ＥＧＲ部１３は、排気路Ｒｅにおけるタービン７よりも上流の比較的高圧・高温な排気を吸気路Ｒｉにおけるスロットル６よりも下流に帰還させるＥＧＲ部とされる。具体的に、本例におけるＨＰ−ＥＧＲ部１３は、不図示のエキゾーストマニホールド内の排気の一部を取り込んでインテークマニホールド（不図示）に帰還させるＨＰ−ＥＧＲ路Ｒｈを有しており、このＨＰ−ＥＧＲ路ＲｈにＥＧＲクーラ１４とＥＧＲバルブ１５が介装されている。なお、ＨＰ−ＥＧＲ路Ｒｈには、不図示の温度センサと差圧センサが備えられている。ＥＧＲクーラ１４はエンジン２側から取り込まれる排気についての冷却を行う。ＥＧＲバルブ１５は、不図示のＥＣＵ（Engine Control Unit）等の制御手段によって開度制御され、該開度制御によりＨＰ−ＥＧＲ部１３によるＥＧＲ量が調整される。
ＥＧＲバルブ１５は、ＨＰ−ＥＧＲ路Ｒｈと吸気路Ｒｉとが連通状態となる排気再循環状態と、ＨＰ−ＥＧＲ路Ｒｈと吸気路Ｒｉとが非連通状態となる非排気再循環状態との切り替えを行う循環制御弁としても機能する。
【００２６】
ＬＰ−ＥＧＲ部１６は、排気路Ｒｅにおけるタービン７よりも下流の比較的低圧・低温な排気を吸気路Ｒｉにおけるコンプレッサ４よりも上流に帰還させるＥＧＲ部とされる。ＬＰ−ＥＧＲ部１６は、吸気路Ｒｉに排気を帰還させるためのＬＰ−ＥＧＲ路Ｒｌと、ＬＰ−ＥＧＲ路Ｒｌに介装されたＥＧＲクーラ１７、ＥＧＲバルブ１８、及び遠心ポンプ２１と、温度センサ１９と差圧センサ２０とを有している。
ＬＰ−ＥＧＲ路Ｒｌは、本例では排気路Ｒｅにおけるフロント触媒９よりも下流で且つリア触媒１０よりも上流となる位置に排気路Ｒｅとの接続口Ｏｔを有すると共に、吸気路Ｒｉにおけるコンプレッサ４よりも上流で且つエアクリーナ３よりも下流となる位置に吸気路Ｒｉとの接続口Ｏｒを有している。
なお以下、排気路Ｒｅとの接続口Ｏｔについては「取込口Ｏｔ」とも表記することがある。また、吸気路Ｒｉとの接続口Ｏｒについては「戻し口Ｏｒ」と表記することもある。
【００２７】
ＬＰ−ＥＧＲ路Ｒｌにおいて、取込口Ｏｔの位置を最上流位置、戻し口Ｏｒの位置を最下流位置とすると、ＥＧＲクーラ１７、遠心ポンプ２１、ＥＧＲバルブ１８は上流側から下流側にかけてこの順で配置されている。
ＥＧＲクーラ１７は取込口Ｏｔから取り込まれる排気についての冷却を行い、ＥＧＲバルブ１８は不図示のＥＣＵ等の制御手段によって開度制御される。ＥＧＲバルブ１８は、ＬＰ−ＥＧＲ路Ｒｌと吸気路Ｒｉとが連通状態となる排気再循環状態と、ＬＰ−ＥＧＲ路Ｒｌと吸気路Ｒｉとが非連通状態となる非排気再循環状態との切り替えを行う循環制御弁としても機能する。
温度センサ１９は、ＬＰ−ＥＧＲ路ＲｌにおけるＥＧＲクーラ１７の下流で且つ遠心ポンプ２１の上流となる位置に配置され、ＥＧＲクーラ１７による冷却後の排気温度を検出する。差圧センサ２０は、ＬＰ−ＥＧＲ路ＲｌにおけるＥＧＲクーラ１７の下流で且つ遠心ポンプ２１の上流となる位置での排気圧と、吸気路Ｒｉにおけるエアクリーナ３の下流で且つコンプレッサ４よりも上流となる位置での吸気圧との差圧を検出する。
【００２８】
ＬＰ−ＥＧＲ部１６において、ＥＧＲバルブ１８の開度は、ＥＣＵ等の制御手段が温度センサ１９が検出した温度と差圧センサ２０が検出した差圧とに基づき制御する。特に、「吸気圧＞排気圧」となる状態では、ＥＧＲバルブ１８が閉状態に制御され、ＬＰ−ＥＧＲ部１６による排気再循環が停止される（上記した非排気再循環状態）。
【００２９】
遠心ポンプ２１は、例えば渦巻きポンプとされ、本例ではタービン７と同様の構造を有している。
図２は、遠心ポンプ２１の構造例を説明するための図であり、遠心ポンプ２１が備えるタービン翼車２２とタービン車室２３のカットモデルと、タービン翼車２２の駆動ユニット３０とを示している。
駆動ユニット３０は、タービン翼車２２を回転駆動するための電動モータと該電動モータを駆動する駆動回路とを少なくとも備えている。駆動ユニット３０の制御、すなわちタービン翼車２２の回転制御は、例えば上述したＥＣＵ等の制御手段により行われる。
【００３０】
遠心ポンプ２１において、排気路Ｒｅ側（ＥＧＲクーラ１７側）より流入した排気はタービン翼車２２の回転によりタービン車室２３に流入する。このとき、タービン翼車２２の回転に伴う遠心力の作用により、タービン車室２３に流入した排気の圧力が高められ、高圧とされた排気がタービン車室２３から吸気路Ｒｉ側（ＥＧＲバルブ１８側）に流出される。これにより、排気路Ｒｅ側より流入した排気は、遠心ポンプ２１を介することで圧力が高められる。
【００３１】
本例のＬＰ−ＥＧＲ部１６においては、遠心ポンプ２１の制御、すなわちタービン翼車２２の回転制御により、ＥＧＲ量の調整を行うことが可能とされる。具体的に、ＥＣＵ等の制御手段は、エンジン２の燃焼状態や温度センサ１９が検出した温度、差圧センサ２０が検出した差圧等に基づいて駆動ユニット３０を通じて遠心ポンプ２１の制御を行うことで、ＬＰ−ＥＧＲ部１６によるＥＧＲ量を適切に制御することができる。
【００３２】
遠心ポンプ２１を設けたことで、ＬＰ−ＥＧＲによるＥＧＲ量の増大化を図ることができるため、従来は差圧が低くＥＧＲを実行できなかった領域においてもＥＧＲの実行を可能とすることができる、すなわちＥＧＲ領域の拡大化を図ることができる。従って、排ガス性能や燃費（燃料消費率）性能の向上を図ることができる。
【００３３】
ここで、遠心ポンプ２１はその構造より、排気を流通させた際に排気脈動の緩和効果を発揮する。すなわち、排気脈動の緩和要素として機能する。
本例のように過給機に対してウエストゲートバルブ８が設けられる構成においては、排気脈動はウエストゲートバルブ８が介装されたバイパス路Ｒｂを介してＬＰ−ＥＧＲ路Ｒｌに伝達されることになる。
仮に、ＬＰ−ＥＧＲ路Ｒｌに遠心ポンプ２１が介装されていないとすると、ＬＰ−ＥＧＲ路に介装される要素はＥＧＲクーラ１７とＥＧＲバルブ１８のみとなるため、排気脈動を十分に緩和することは困難となる。すなわち、ＬＰ−ＥＧＲ路Ｒｌに伝達された排気脈動は十分に緩和されることなく吸気系に伝達され、吸気口Ｏｉにおいて排気脈動に起因した騒音（脈動音）が生じてしまう。
遠心ポンプ２１を設けることで、ＬＰ−ＥＧＲ路Ｒｌに伝達された排気脈動の十分な緩和を図ることができ、その結果、脈動音の低減を図ることができる。
特に、脈動音で問題となるのは低周波数の成分であるが、遠心ポンプ２１の回転翼が流入する排気を掻き乱すことにより低周波数の脈動を効果的に低減することができるため、脈動音を良好に低減することができる。
【００３４】
図３は、第一変形例としての排気再循環システム１Ａの概略構成例を模式的に示している。
図１に示した排気再循環システム１との差異点は、遠心ポンプ２１が取込口ＯｔとＥＧＲクーラ１７との間に配置された点である。
【００３５】
ここで、図１に示したように遠心ポンプ２１をＥＧＲバルブ１８とＥＧＲクーラ１７との間に配置した場合には、遠心ポンプ２１にはＥＧＲクーラ１７による冷却後の排気が流入する。そのため、遠心ポンプ２１として高耐熱品を用いる必要がなくなり、コスト削減を図ることができる。
【００３６】
一方、図３に示すように遠心ポンプ２１を取込口ＯｔとＥＧＲクーラ１７との間に配置した場合には、遠心ポンプ２１はＬＰ−ＥＧＲ路Ｒｌにおけるより上流部に配置されることになる。
排気脈動をより上流において緩和できれば、排気脈動が伝達される部分の長さがより短くなるため、吸気系に伝達される排気脈動の大きさをより小さくすることができる。従って、上記のように遠心ポンプ２１を取込口ＯｔとＥＧＲクーラ１７との間に配置することで、騒音の低減効果を高めることができる。
【００３７】
図４は、第二変形例としての排気再循環システム１Ｂの概略構成例を模式的に示している。
図１に示した排気再循環システム１との差異点は、ＨＰ−ＥＧＲ部１３が設けられていない点である。
実施形態において、ＨＰ−ＥＧＲ部１３を設けることは必須ではなく、遠心ポンプ２１の適用は、ＥＧＲ部としてＬＰ−ＥＧＲ部１６のみが設けられたシステムに対しても行うことができる。
【００３８】
なお、図示による説明は省略するが、ＨＰ−ＥＧＲ部１３が設けられる場合には、遠心ポンプ２１はＨＰ−ＥＧＲ路Ｒｈに介装することもできる。ＨＰ−ＥＧＲ路Ｒｈに伝達された排気脈動は、吸気口Ｏｉ付近に伝達されるまでの間にインタークーラやコンプレッサ４等の脈動緩和要素を経由することになるため、仮に、遠心ポンプ２１を設けないとしても脈動音は比較的小さいものとなる。すなわち、ＨＰ−ＥＧＲ路Ｒｈを伝達する排気脈動に起因した脈動音は元々小さいものである。
しかしながら、脈動音の低減をより徹底する場合等には、遠心ポンプ２１をＨＰ−ＥＧＲ路Ｒｈ側に設ける構成とすることが考えられる。
【００３９】
以上で説明したように、実施形態の排気再循環システム（同１）は、エンジン（同２）の排気路（同Ｒｅ）と吸気路（Ｒｉ）との間を接続する排気再循環路（ＬＰ−ＥＧＲ路Ｒｌ又はＨＰ−ＥＧＲ路Ｒｈ）と、排気再循環路に介装された遠心ポンプ（同２１）とを備えている。
【００４０】
これにより、エンジンからの排気を、排気再循環路に介装された遠心ポンプを介して吸気路に帰還させることが可能とされる。
排気脈動の特に低周波成分が遠心ポンプを介することで緩和され、排気脈動に起因した騒音の低減が図られる。
また、遠心ポンプによって吸気路に対する排気の戻し圧調整が可能となり、ＥＧＲ領域の拡大化を図ることができる。ＥＧＲ領域の拡大化により、排ガス性能の向上、及び燃費向上を図ることができる。
遠心ポンプは排気再循環路のパイプ中に比較的小スペースに配置可能であるため、排気脈動に起因した騒音を低減するために大型の消音器を用いる必要がなくなる。従って、本実施形態の排気再循環システムによれば、レイアウト制約を緩和することによる車両設計自由度の向上を図りつつ、排気脈動に起因した騒音の低減、排ガス性能の向上、及び燃費の向上を図ることができる。
【００４１】
また、実施形態の排気再循環システムにおいては、排気路に介装された過給用のタービン（同７）と、吸気路に介装された過給用のコンプレッサ（同４）と、を備え、排気再循環路は、排気路におけるタービンよりも下流位置において排気路との接続口（取込口Ｏｔ）を有し、吸気路におけるコンプレッサよりも上流位置において吸気路との接続口（戻し口Ｏｒ）を有している。
【００４２】
すなわち、ＬＰ−ＥＧＲ路に対して遠心ポンプが介装された構成である。
ＨＰ−ＥＧＲ路に伝達される排気脈動は、吸気口に伝達されるまでの間にインタークーラや過給用のコンプレッサ等を介するため、緩和され易い。一方、ＬＰ−ＥＧＲ路に伝達される排気脈動については、仮にＬＰ−ＥＧＲ路に遠心ポンプが介装されていないとすると、ＬＰ−ＥＧＲ路にはインタークーラやコンプレッサ等のような脈動緩和要素が介装されていないため、排気脈動が十分に緩和されずに吸気口に伝達され易い。すなわち、より大きな騒音が生じ易い。
従って、排気脈動に起因した騒音の低減を図る上では、ＬＰ−ＥＧＲ路に対して遠心ポンプを介装することが好適である。
【００４３】
さらに、実施形態の排気再循環システムにおいては、タービンのバイパス路（同Ｒｂ）に介装されたウエストゲートバルブ（同８）を備えている。
【００４４】
排気脈動の緩和は、過給用のタービンとしてＶＮＴ（Variable Nozzle Turbo：可変ノズルターボ：登録商標）で用いられるような排気流速調整機能付きのタービンを用いることによっても図ることができるが、排気流速調整機能付きのタービンは高価である。このため、ウエストゲートバルブによって排気流速調整機能を実現する構成とし、ウエストゲートバルブ（バイパス路）を介して伝達される排気脈動は排気再循環路の遠心ポンプによって緩和する。
これにより、排気流速調整機能付きのタービンを用いることなく排気流速調整機能と排気脈動緩和機能とを実現することができる。すなわち、排気流速調整機能と排気脈動緩和機能とを具備する排気再循環システムをより低コストに実現することができる。
【００４５】
また、実施形態の排気再循環システム（同１）においては、排気再循環路と吸気路とが連通状態となる排気再循環状態と排気再循環路と吸気路とが非連通状態となる非排気再循環状態との切り替えを行う循環制御弁（ＥＧＲバルブ１８）と、排気再循環路に介装されて吸気路に帰還される排気についての冷却を行う冷却部（ＥＧＲクーラ１７）と、を備え、遠心ポンプが、循環制御弁と冷却部との間に配置されている。
【００４６】
これにより、遠心ポンプには冷却部による冷却後の排気が流入する。
従って、遠心ポンプとして高耐熱品を用いる必要がなくなり、コスト削減を図ることができる。
【００４７】
さらにまた、実施形態の排気再循環システム（同１Ａ）においては、排気再循環路に介装されて吸気路に帰還される排気についての冷却を行う冷却部を備え、遠心ポンプは、排気路との接続口と冷却部との間に配置されている。
【００４８】
これにより、遠心ポンプは冷却部よりも排気路との接続口に近い位置に配置される。すなわち、遠心ポンプは排気再循環路の上流部に配置される。
排気脈動をより上流において緩和できれば、排気脈動が伝達される部分の長さがより短くなるため、吸気系に伝達される排気脈動の大きさをより小さくすることができる。従って、上記のように遠心ポンプを排気路との接続口と冷却部との間に配置することで、騒音の低減効果を高めることができる。
【００４９】
なお、本発明は上記で説明した具体例に限定されず、多様な変形例が考えられるものである。
例えば、本発明は、過給用のタービンとしてＶＮＴで用いられるような排気流速調整機能付きのタービンを用いた場合にも適用することができる。排気流速調整機能付きのタービンで緩和し切れなかった排気脈動を本発明の遠心ポンプによって緩和することができる。
【００５０】
また、本発明は、ガソリンエンジンではなくディーゼルエンジンにも好適に適用することができる。
さらに、本発明は、ＬＰ−ＥＧＲ部が設けられずＨＰ−ＥＧＲ部が設けられた構成においても適用することができる。
【符号の説明】
【００５１】
１  、１Ａ、１Ｂ  排気再循環システム、２  エンジン、３  エアクリーナ、４  コンプレッサ、５  インタークーラ、６  スロットル、７  タービン、８  ウエストゲートバルブ、１３  ＨＰ−ＥＧＲ部、１４，１７  ＥＧＲクーラ、１５，１７  ＥＧＲバルブ、１６  ＬＰ−ＥＧＲ部、１９  温度センサ、２０  差圧センサ、２１  遠心ポンプ、２２  タービン翼車、２３  タービン車室、Ｒｉ  吸気路、Ｒｅ  排気路、Ｒｂ  バイパス路、Ｒｈ  ＨＰ−ＥＧＲ路、Ｒｌ  ＬＰ−ＥＧＲ路、Ｏｉ  吸気口、Ｏｔ  接続口（取込口）、Ｏｒ  接続口（戻し口）
【図１】
2020041494.tif 000003
【図２】
2020041494.tif 000004
【図３】
2020041494.tif 000005
【図４】
2020041494.tif 000006